(57)【要約】【課題】同類の表示部が混在するように設けられていても、表示部の視認性に変化を持たせることが容易に可能な表示装置を提供する。【解決手段】主目盛表示部２２Ａ（第１表示部）と従目盛表示部２２Ｂ（第２表示部）が混在する表示部２２が設けられた表示部領域を有する表示板８と、表示部領域に対応した表示板８の裏面側に配置された第１の導光体９および第２の導光体１０と、各導光体９，１０内に光を入射する第１の導光体用発光ダイオード１４（第１の光源）および第２の導光体用発光ダイオード１５（第２の光源）と、表示部領域に対応した第１の導光体９と第２の導光体１０との間に設けられた透過光規制部とを備え、主目盛表示部２２Ａは第１の導光体用発光ダイオード１４の光によって透過照明され、従目盛表示部２２Ｂは透過光規制部を透過した第２の導光体用発光ダイオード１５の光によって透過照明される。【選択図】図３
2010169546.tif 000002
【特許請求の範囲】
【請求項１】
第１表示部と第２表示部が混在する表示部が設けられた表示部領域を有する表示板と、少なくとも前記表示部領域に対応した前記表示板の裏面側に配置された第１の導光体と、この第１の導光体内に光を入射する第１の光源と、少なくとも前記表示部領域に対応した前記第１の導光体の裏面側に配置された第２の導光体と、この第２の導光体内に光を入射する第２の光源と、少なくとも前記表示部領域に対応した前記第１の導光体と前記第２の導光体との間に設けられた透過光規制部とを備え、前記第１表示部は前記第１の光源の光によって透過照明され、前記第２表示部は前記透過光規制部を透過した前記第２の光源の光によって透過照明されることを特徴とする表示装置。
【請求項２】
前記透過光規制部は、前記第１表示部に対応した箇所に前記第２の光源からの光を遮蔽する遮蔽部を有することを特徴とする請求項１に記載の表示装置。
【請求項３】
前記第１表示部に対応した前記第１の導光体の裏面に第１反射部を設けると共に、前記第２表示部に対応した前記第２の導光体の裏面に第２反射部を設けたことを特徴とする請求項１または請求項２に記載の表示装置。
【請求項４】
前記表示板は、車両用の表示装置に用いられ、前記第１表示部が車両の作動状態が示される主目盛表示部あるいは従目盛表示部の何れか一方であり、前記第２表示部が他方であることを特徴とする請求項１から請求項３の何れかに記載の表示装置。
【発明の詳細な説明】
【技術分野】
【０００１】
本発明は、例えば車両に備えられる表示装置に関し、特に表示板の表示部に光を導く導光体を備えた表示装置に関するものである。
【背景技術】
【０００２】
表示装置の表示板の照明方法に工夫を凝らし、見栄えのある斬新な視認性を有する表示装置を提供するものとして、例えば下記特許文献１がある。特許文献１に於ける表示装置は、円弧状に設けられた目盛２１と、この目盛２１の内側に沿うように円弧状に設けられた数字２２とを有する文字盤２（表示板）と、目盛２１および数字２２に対応した文字盤２の裏側に線接触するように配置された２個の導光体３１，４１を備えたものである。そして、この導光体３１，４１に光を導き入れる発光ダイオード３２，４２を時差点灯または時差消灯させる、あるいは発光ダイオード３２，４２の発光色を異ならせることによって、各導光体３１，４１に対応した目盛２１または数字２２の視認性を見栄えのある斬新なものとすることができるというものである。
【先行技術文献】
【特許文献】
【０００３】
【特許文献１】特開２００４−１８４２２１号公報
【発明の概要】
【発明が解決しようとする課題】
【０００４】
しかしながら、特許文献１記載の表示装置は、前述した様に、円弧状の目盛２１の内側に円弧状の数字２２を配置したものであり、この目盛２１と数字２２を時間差で照明させたり、明るさを変化させたり、照明色を異ならせたりすることが可能であるものの、例えば特許文献１の図１に示されている様に、円弧状の範囲内に同類の表示部である長い目盛２１と短い目盛２１が混在している場合、この長い目盛２１と短い目盛２１を時間差で照明させたり、明るさを変化させたり、照明色を異ならせたりしたくとも、特許文献１に記載された様な構造では難しかった。
【０００５】
本発明はこの様な点に鑑みなされたもので、同類の表示部が混在するように設けられていても、表示部の視認性に変化を持たせることが容易に可能な表示装置を提供することを目的とする。
【課題を解決するための手段】
【０００６】
本発明は前記目的を達成するため、第１表示部と第２表示部が混在する表示部が設けられた表示部領域を有する表示板と、少なくとも前記表示部領域に対応した前記表示板の裏面側に配置された第１の導光体と、この第１の導光体内に光を入射する第１の光源と、少なくとも前記表示部領域に対応した前記第１の導光体の裏面側に配置された第２の導光体と、この第２の導光体内に光を入射する第２の光源と、少なくとも前記表示部領域に対応した前記第１の導光体と前記第２の導光体との間に設けられた透過光規制部とを備え、前記第１表示部は前記第１の光源の光によって透過照明され、前記第２表示部は前記透過光規制部を透過した前記第２の光源の光によって透過照明されるものである。
【０００７】
また、前記透過光規制部は、前記第１表示部に対応した箇所に前記第２の光源からの光を遮蔽する遮蔽部を有するものである。
【０００８】
また、前記第１表示部に対応した前記第１の導光体の裏面に第１反射部を設けると共に、前記第２表示部に対応した前記第２の導光体の裏面に第２反射部を設けたものである。
【０００９】
また、前記表示板は、車両用の表示装置に用いられ、前記第１表示部が車両の作動状態が示される主目盛表示部あるいは従目盛表示部の何れか一方であり、前記第２表示部が他方であるものである。
【発明の効果】
【００１０】
同類の表示部が混在するように設けられていても、表示部の視認性に変化を持たせることが容易に可能な表示装置を得ることができる。
【図面の簡単な説明】
【００１１】
【図１】本発明の第１実施形態を示し回転計１と速度計２を備えた表示装置の正面図である。
【図２】同回転計１の部分断面図（図１に於けるＡ−Ａ断面）である。
【図３】同回転計１に用いられる表示板，第１の導光体，第２の導光体，光源の位置関係を示す正面図である。
【図４】回転計１の部分断面図（図３に於けるＢ−Ｂ断面に相当）である。
【図５】同回転計１に用いられる表示板の部分断面図（図１に於けるＡ−Ａ断面に相当）である。
【図６】同回転計１に用いられる表示板，第１の導光体，透過光規制部，第２の導光体の分解斜視図である。なお、表示板の表示意匠は記載を省略してある。
【図７】同回転計１に用いられる表示板，第１の導光体，透過光規制部，第２の導光体の位置関係を示す拡大断面図（図３に於けるＢ−Ｂ断面に相当）である。
【図８】本発明の第２実施形態を示す表示板，第１の導光体，透過光規制部，第２の導光体の位置関係を示す拡大断面図（図３に於けるＢ−Ｂ断面に相当）である。
【図９】本発明の第３実施形態を示す表示板，第１の導光体，透過光規制部，第２の導光体の位置関係を示す拡大断面図（図３に於けるＢ−Ｂ断面に相当）である。
【発明を実施するための形態】
【００１２】
本発明の第１実施形態を図１〜図７に基づいて説明する。なお、本実施形態に於いては、第１表示部を主目盛表示部とし、第２表示部を従目盛表示部として説明する。また、速度計２に関する説明は省略する。
【００１３】
回転計１（表示装置）は、硬質な回路基板３と、この回路基板３の裏面側に回路基板３と導通状態で装着され、回路基板３を貫通して前方に延びる回動軸４を有する表示器本体５と、回動軸４の先端側に固着され指示部６を有する指針７と、指示部６の後方に配置された表示板８と、この表示板８の裏面側に配置された第１の導光体９と、第１の導光体９の裏面側に配置された第２の導光体１０と、第１の導光体９と第２の導光体１０との間に設けられた透過光規制部１１と、表示板８，第１の導光体９，第２の導光体１０が保持されるケース部材１２と、回路基板３上に実装され指針７を照明する光源としての指針照明用発光ダイオード１３と、第１の導光体９内および第２の導光体１０内に光を入射する第１の光源，第２の光源としての第１の導光体用発光ダイオード１４，第２の導光体用発光ダイオード１５を備えている。
【００１４】
また、表示板８の可視領域を定める開口部１６を有する例えば黒色の合成樹脂からなる見返し部材１７と、指針７や表示板８などの前方側を被う無色透明な合成樹脂からなる透視板１８と、回路基板３の裏面側を覆う合成樹脂製のカバー１９などを備えている。
【００１５】
指針７は、無色透明な合成樹脂からなる指示部６の他に、指針軸２０と、遮光性の合成樹脂からなる指針キャップ２１を備えている。この指針７は指針軸２０を表示器本体５の回動軸４の先端側に圧入することによって表示器本体５に固着される。指示部６の裏面には例えば白色の箔（図示せず）がホットスタンプされており、昼間など周囲が明るい時は指示部６が白色で視認される。また、夜間など周囲が暗い時に例えば白色で発光する指針用発光ダイオード１３が点灯した際も、指示部６に導かれた光が白色の箔に反射して指示部６が白色で視認されるようになっている。
【００１６】
表示板８には、例えば車両のエンジン回転数を示し、第１表示部である主目盛表示部２２Ａと第２表示部である従目盛表示部２２Ｂとからなる表示部２２と、この表示部２２の内側に表示部２２に沿うように配置された数字表示部２３と、文字表示部２４とが設けられている。表示部２２は、指針７の指示部６先端側に対応する円弧状の表示部領域Ｒ１（図１に於いて破線で囲まれた領域）内に例えば1000r/min間隔の複数の主目盛表示部２２Ａと、この主目盛表示部２２Ａより細く1000r/min間隔の中間となる500r/minを示す複数の従目盛表示部２２Ｂとが混在するように円弧状に設けられている。なお、従目盛表示部２２Ｂは200r/min間隔に設けても良い。
【００１７】
表示板８は、指針７の指針軸２０が挿通される貫通穴２５を有する無色透明な合成樹脂からなる基板２６の表面側に表示部２２，数字表示部２３，文字表示部２４となる例えば白色の透過性表示層２７を印刷し、表示部２２，数字表示部２３，文字表示部２４を除いて地部２８となる例えば黒色で遮光性を有する地色層２９を印刷した後、全面に透明な保護層３０を印刷したものである（図１および図３に於いては、表示部２２，数字表示部２３，文字表示部２４を黒色で、地部２８を無色で示す）。従って、昼間など周囲が明るい時は表示部２２，数字表示部２３，文字表示部２４が白色で視認される。
【００１８】
第１の導光体９は、光透過性である例えば無色透明な材料からなるポリカーボネート樹脂やアクリル樹脂などからなり、表示板８とほぼ同形で中心に穴部３１を有する円形である。そして、穴部３１の周りには第１の導光体用発光ダイオード１４からの光が入射される円筒状の第１の受光部３２と、この第１の受光部３２に入射した光を周方向に導光する第１の反射面３３が設けてある。また、表示板８に設けられた主目盛表示部２２Ａに対応した裏面箇所には第１反射部３４（例えば微細な円錐状の凹部）が施してある。また、図示しないが、表示板８に設けられた数字表示部２３領域および文字表示部２４領域に対応した裏面箇所にも例えば微細な円錐状の凹部が施してある。
【００１９】
第２の導光体１０は、第１の導光体９と同様に、光透過性である例えば無色透明な材料からなるポリカーボネート樹脂やアクリル樹脂などからなり、表示板８側から平面視した際は円弧状である。この第２の導光体１０は表示板８の表示部領域Ｒ１に対応した第１の導光体９の裏面側に配置してある。また、両方の端部には第２の導光体用発光ダイオード１５からの光が入射される第２の受光部３５と、この第２の受光部３５に入射した光を面方向に導光する第２の反射面３６が設けてある。また、表示板８に設けられた従目盛表示部２２Ｂに対応した裏面箇所には第２反射部３７（例えば微細な円錐状の凹部）が施してある。
【００２０】
透過光規制部１１は、第２の導光体１０とほぼ同径で無色透明な合成樹脂からなる円弧状のシート材であり、表示板８の表示部領域Ｒ１に対応した第１の導光体９と第２の導光体１０との間に配置される。この透過光規制部１１には、表示板８に設けられた主目盛表示部２２Ａに対応した基板２６Ａの表面側箇所に遮蔽部としての例えば黒色の遮光層３８が印刷してある。本実施形態に於ける遮光層３８の範囲は、表示板８の従目盛表示部２２Ｂに対応した箇所を除いた広い範囲に印刷されている。また、遮光層３８の表面側に遮光層３８とほぼ同じ範囲で例えば白色の反射層３９が印刷してあり、基板２６Ａの裏面側にも遮光層３８とほぼ同じ範囲で例えば白色の反射層３９Ａが印刷してある（図６に於いては、クロスラインを記した領域が遮光層３８およびこの遮光層３８上に印刷された反射層３９である）。この白色の反射層３９，３９Ａは、第１の導光体９内および第２の導光体１０内を伝わる光が黒色の遮光層３８に吸収されて減衰されるのを抑えるためである。
【００２１】
ケース部材１２は、遮光性のある例えば白色の合成樹脂からなり、第１の導光体９や第２の導光体１０が保持される裁置部４０と、指針用発光ダイオード１３を囲むように表示板８と回路基板３との間に配置された断面が円形の筒部４１と、第１の導光体用発光ダイオード１４および第１の導光体９の第１の受光部３２を囲むように配置された仕切壁４２と、第２の導光体用発光ダイオード１５および第２の導光体１０の第２の受光部３５を囲む仕切壁４２Ａと、外周壁４３などを有している。
【００２２】
この様に構成された表示装置に於いて、夜間など周囲が暗い時に例えば白色で発光する第１の導光体用発光ダイオード１４が点灯すると、第１の導光体用発光ダイオード１４からの光は第１の導光体９の第１の受光部３２内に入射し、第１の反射面３３で反射して第１の導光体９の周方向に導かれる。そして、第１反射部３４で拡散反射されて表示板８側に向かい表示板８の主目盛表示部２２Ａを白色で透過照明する。また、数字表示部２３領域および文字表示部２４領域に対応した裏面箇所にも微細な円錐状の凹部（図示せず）が施してあるため、この凹部で拡散反射されて表示板８側に向かい数字表示部２３および文字表示部２４が白色で透過照明されるようになる。
【００２３】
また、例えば白色で発光する第２の導光体用発光ダイオード１５が点灯すると、第２の導光体用発光ダイオード１５からの光は第２の導光体１０の第２の受光部３５内に入射し、第２の反射面３６で反射して第２の導光体１０の面方向に導かれる。そして、第２反射部３７で拡散反射されて表示板８側に向かい表示板８の従目盛表示部２２Ｂを白色で透過照明するようになるが、第２の導光体１０上に黒色の遮光層３８が印刷された透過光規制部１１が配設されているために、主目盛表示部２２Ａに対応する箇所はその遮光層３８によって透過が阻止される。従って、第２反射部３７で拡散反射されて表示板８側に向かう光は透過光規制部１１の従目盛表示部２２Ｂに対応する箇所と第１の導光体９を透過して従目盛表示部２２Ｂのみを透過照明するようになる。遮光層３８は、第２の導光体用発光ダイオード１５が点灯した際に、その光によって主目盛表示部２２Ａが透過照明されないようになっていれば良く、少なくとも主目盛表示部２２Ａに対応した箇所に設けてあれば良い。
【００２４】
なお、本実施形態に於いては、第１の導光体用発光ダイオード１４の発光輝度よりも第２の導光体用発光ダイオード１５の発光輝度の方が低くなるように設定してある。従って、表示板８の主目盛表示部２２Ａよりも従目盛表示部２２Ｂの方が僅かに暗く透過照明されるようになっている。
【００２５】
この様に、主目盛表示部２２Ａと従目盛表示部２２Ｂとからなる表示部２２が混在するように設けられた円弧状の表示部領域Ｒ１を有する表示板８と、表示部領域Ｒ１に対応した表示板８の裏面側に配置された第１の導光体９と、この第１の導光体９内に光を入射する第１の導光体用発光ダイオード１４と、表示部領域Ｒ１に対応した第１の導光体９の裏面側に配置された第２の導光体１０と、この第２の導光体１０内に光を入射する第２の導光体用発光ダイオード１５と、表示部領域Ｒ１に対応した第１の導光体９と第２の導光体１０との間に設けられた透過光規制部１１とを備え、主目盛表示部２２Ａは第１の導光体用発光ダイオード１４の光によって透過照明され、従目盛表示部２２Ｂは第２の導光体用発光ダイオード１５の光によって透過照明されるように構成したことにより、円弧状の表示部領域Ｒ１内に同類である主目盛表示部２２Ａと従目盛表示部２２Ｂが混在するように設けられていても、主目盛表示部２２Ａと従目盛表示部２２Ｂとで透過輝度を変えることが可能であり、表示部２２の視認性に変化を持たせることが容易に可能な表示装置を得ることができる。
【００２６】
また、透過光規制部１１の主目盛表示部２２Ａに対応した箇所に第２の導光体用発光ダイオード１５からの光を遮蔽する黒色の遮光層３８を設けたことにより、第２の導光体用発光ダイオード１５が点灯しても従目盛表示部２２Ｂのみが透過照明され、主目盛表示部２２Ａは照明されない。従って、第１の導光体９と第２の導光体１０が重なっている箇所の前方側に主目盛表示部２２Ａと従目盛表示部２２Ｂが混在する表示部２２が設けてある表示板８が配置してあっても主目盛表示部２２Ａと従目盛表示部２２Ｂの視認性に変化を持たせることが容易に可能となる。
【００２７】
また、表示板８の主目盛表示部２２Ａに対応した第１の導光体９の裏面に第１反射部３４を設けると共に、従目盛表示部２２Ｂに対応した第２の導光体１０の裏面に第２反射部３７を設けたことにより、第１の導光体用発光ダイオード１４および第２の導光体用発光ダイオード１５からの光を第１反射部３４および第２反射部３７で表示板８側へ反射させて、主目盛表示部２２Ａおよび従目盛表示部２２Ｂを透過照明させることができる。
【００２８】
また、表示板８が車両用の表示装置に用いられ、第１表示部が車両の作動状態（例えばエンジン回転数）が示される主目盛表示部２２Ａであり、第２表示部が車両の作動状態が示される従目盛表示部２２Ｂであることにより、目盛という同類の表示部２２（主目盛表示部２２Ａ，従目盛表示部２２Ｂ）が混在するように設けられていても、表示部２２の視認性に変化を持たせることが容易に可能な車両用の表示装置を提供できる。
【００２９】
本発明の第２実施形態を図８に基づいて説明する。本実施形態は前記第１実施形態とは透過光規制部が異なるのみであり、前記第１実施形態と同一もしくは相当箇所については同一符号を付して詳細説明は省略する。
【００３０】
透過光規制部１１は、第２の導光体１０とほぼ同径で遮光性を有する例えば黒色の合成樹脂からなる円弧状のシート材で、表示板８に設けられた従目盛表示部２２Ｂに対応した箇所には従目盛表示部２２Ｂよりも少し大きな（太い）孔４４が設けてあり、表示板８の表示部領域Ｒ１に対応した第１の導光体９と第２の導光体１０との間に配置される。この透過光規制部１１には、表示板８に設けられた主目盛表示部２２Ａに対応した表面側箇所および裏面側箇所に例えば白色の反射層３９，３９Ａが印刷してある。この白色の反射層３９，３９Ａは、前記第１実施形態と同様に、第１の導光体９内および第２の導光体１０内を伝わる光が黒色のシート材に吸収されて減衰されるのを抑えるためである。
【００３１】
この様に構成された表示装置に於いて、夜間など周囲が暗い時に例えば白色で発光する第１の導光体用発光ダイオード１４が点灯すると、前記第１実施形態と同様に、第１の導光体用発光ダイオード１４からの光は第１の導光体９内に入射し、第１反射部３４で拡散反射されて表示板８側に向かい表示板８の主目盛表示部２２Ａを白色で透過照明するようになる。
【００３２】
また、例えば白色で発光する第２の導光体用発光ダイオード１５が点灯すると、第２の導光体用発光ダイオード１５からの光は第２の導光体１０内に入射し、第２反射部３７で拡散反射されて表示板８側に向かい、透過光規制部１１に設けられた孔４４と第１の導光体９を透過して従目盛表示部２２Ｂを白色で透過照明するようになるが、透過光規制部１１が遮光性を有する黒色の合成樹脂であるために主目盛表示部２２Ａに対応する箇所の透過が阻止される。
【００３３】
この様に構成したことにより、前記第１実施形態と同様に、表示部２２の視認性に変化を持たせることが容易に可能な表示装置を得ることができる。
【００３４】
本発明の第３実施形態を図９に基づいて説明する。本実施形態は前記各実施形態とは第２の導光体１０が異なると共に、透過光規制部としてのシート材を廃止したものである。なお、各実施形態と同一もしくは相当箇所については同一符号を付して詳細説明は省略する。
【００３５】
第２の導光体１０は、前記各実施形態と同様に、光透過性である例えば無色透明な材料からなるポリカーボネート樹脂やアクリル樹脂などからなり、表示板８の表示部領域Ｒ１に対応した第１の導光体９の裏面側に配置してある。また、表示板８に設けられた従目盛表示部２２Ｂに対応した裏面箇所には第２反射部３７（例えば微細な円錐状の凹部）が施してある。この第２の導光体１０には、前記第１実施形態と同様に、従目盛表示部２２Ｂに対応した箇所を除いた表面側箇所に遮蔽部としての例えば黒色の遮光層３８Ａが印刷またはホットスタンプしてあり、この遮光層３８Ａの表面側に遮光層３８Ａとほぼ同じ範囲で例えば白色の反射層３９が印刷またはホットスタンプしてある。また、遮光層３８Ａと第２の導光体１０との間にも白色の反射層３９Ａが印刷またはホットスタンプされている。この白色の反射層３９，３９Ａは、第１の導光体９内および第２の導光体１０内を伝わる光が黒色の遮光層３８Ａに吸収されて減衰されるのを抑えるためである。
【００３６】
この様に構成された表示装置に於いて、夜間など周囲が暗い時に例えば白色で発光する第１の導光体用発光ダイオード１４が点灯すると、前記各実施形態と同様に、第１の導光体用発光ダイオード１４からの光は第１の導光体９内に入射し、第１反射部３４で拡散反射されて表示板８側に向かい表示板８の主目盛表示部２２Ａを白色で透過照明するようになる。
【００３７】
また、例えば白色で発光する第２の導光体用発光ダイオード１５が点灯すると、第２の導光体用発光ダイオード１５からの光は第２の導光体１０内に入射し、第２反射部３７で拡散反射されて表示板８側に向かい、表示板８の従目盛表示部２２Ｂを白色で透過照明するようになるが、少なくとも主目盛表示部２２Ａに対応した第２の導光体１０の表面側箇所に黒色の遮光層３８Ａが設けられているために、主目盛表示部２２Ａに対応する箇所はその遮光層３８Ａによって透過が阻止される。従って、第２反射部３７で拡散反射されて表示板８側に向かう光は第２の導光体１０と第１の導光体９を透過して従目盛表示部２２Ｂのみを透過照明するようになる。
【００３８】
この様に構成したことにより、前記第各実施形態と同様に、表示部２２の視認性に変化を持たせることが容易に可能な表示装置を得ることができる。また、表示板８の少なくとも主目盛表示部２２Ａに対応した第２の導光体１０の表面側箇所に黒色の遮光層３８Ａを設けることで、前記第各実施形態で用いた透過光規制部としてのシート材を廃止でき、コスト低減に繋げることができる。なお、本実施形態に於いては、遮光層３８Ａが本発明の遮蔽部であると共に、透過光規制部１１Ａでもある。
【００３９】
以上の通り、本発明の実施形態について説明したが、本発明は前記各実施形態に限定するものではない。例えば、第１表示部を主目盛表示部２２Ａとし第２表示部を従目盛表示部２２Ｂとしたが、第１表示部を従目盛表示部２２Ｂとし第２表示部を主目盛表示部２２Ａとしても良い。また、第１の導光体９を表示板８とほぼ同形としたが、少なくとも表示板８に設けられた表示部２２の表示領域Ｒ１に対応した大きさであれば良い。また、第２の導光体１０と透過光規制部１１とを表示板８の表示領域Ｒ１に対応した大きさとしたが、少なくとも表示領域Ｒ１に対応していれば良く、表示領域Ｒ１より大きくとも良い。また、各導光体９，１０の受光部３２，３５の位置および各発光ダイオード１４，１５の位置は任意に設定すれば良い。
【００４０】
また、第１の導光体１０および第２の導光体１１の裏面に微細な円錐状の凹部を設けて第１反射部３５，第２反射部３８としたが、微細なシボ或いは白色の印刷やホットスタンプを施して第１反射部３５，第２反射部３８としても良い。同様に、表示板９に設けられた数字表示部２４領域および文字表示部２５領域に対応した第１の導光体１０の裏面箇所も微細なシボ或いは白色の印刷やホットスタンプとしても良い。
【００４１】
また、第１の導光体用発光ダイオード１４の発光輝度よりも第２の導光体用発光ダイオード１５の発光輝度の方が低くなるように設定し、表示板８の主目盛表示部２２Ａよりも従目盛表示部２２Ｂの方が僅かに暗く透過照明されるようにしてあるが、第１の導光体用発光ダイオード１４と第２の導光体用発光ダイオード１５のそれぞれの発光色を異ならせるようにする、或いは一方の光源を他方の光源より遅延点灯，遅延消灯させるようにしても良い。この様な場合であっても、表示部２２の視認性に変化を持たせることが容易に可能な表示装置を得ることができる。
【符号の説明】
【００４２】
８  表示板
９  第１の導光体
１０  第２の導光体
１１，１１Ａ  透過光規制部
１４  第１の導光体用発光ダイオード（第１の光源）
１５  第２の導光体用発光ダイオード（第２の光源）
２２  表示部
２２Ａ  主目盛表示部（第１表示部）
２２Ｂ  従目盛表示部（第２表示部）
Ｒ１  表示部領域
３４  第１反射部
３７  第２反射部
３８，３８Ａ  遮光層（遮蔽部）
【図１】
2010169546.tif 000003
【図２】
2010169546.tif 000004
【図３】
2010169546.tif 000005
【図４】
2010169546.tif 000006
【図５】
2010169546.tif 000007
【図６】
2010169546.tif 000008
【図７】
2010169546.tif 000009
【図８】
2010169546.tif 000010
【図９】
2010169546.tif 000011